(57)【要約】【課題】イオンマイグレーションによるリーク等を抑制する。【解決手段】ソース電極４とゲート電極５との間に、イオンマイグレーション防止帯として溝部１５を設ける。溝部１５は、ソース電極４の周囲を取り囲むように形成する。【選択図】      図１
2006100481.tif 000002
【特許請求の範囲】
【請求項１】
半導体チップと、
前記半導体チップの一表面に設けられた複数の電極と、
前記複数の電極のうち隣接する高電位側電極と低電位側電極との間に設けられたイオンマイグレーション防止帯と、
を有することを特徴とする半導体装置。
【請求項２】
前記高電位側電極と前記低電位側電極との間に、溝部の設けられた絶縁体を有し、
前記溝部の設けられた領域が前記イオンマイグレーション防止帯を構成することを特徴とする請求項１記載の半導体装置。
【請求項３】
前記溝部が、前記高電位側電極と前記低電位側電極とを分断するように設けられたことを特徴とする請求項２記載の半導体装置。
【請求項４】
前記溝部の壁面がオーバーハング形状を有することを特徴とする請求項２または３記載の半導体装置。    
【請求項５】
前記溝部は、平行に設けられた複数の溝を含むことを特徴とする請求項２乃至４いずれかに記載の半導体装置。
【請求項６】
前記溝部は、前記高電位側電極と前記低電位側電極との間に発生する電界の向きと略直交する壁面を有することを特徴とする請求項２乃至５いずれかに記載の半導体装置。
【請求項７】
前記高電位側電極は銀を含む金属からなり、前記低電位側電極はアルミニウムを含む金属からなることを特徴とする請求項１乃至６いずれかに記載の半導体装置。
【請求項８】
前記イオンマイグレーション防止帯は、前記高電位側電極、又は前記低電位側電極のいずれかを取り囲むことを特徴とする請求項１乃至７いずれかに記載の半導体装置。
【請求項９】
前記半導体チップは絶縁ゲート型電界効果トランジスタを有し、
前記高電位側電極は前記絶縁ゲート型電界効果トランジスタのソース電極を構成するとともに、
前記低電位側電極は前記絶縁ゲート型電界効果トランジスタのゲート電極を構成する
ことを特徴とする請求項１乃至８いずれかに記載の半導体装置。
【発明の詳細な説明】
【技術分野】
【０００１】
本発明は、半導体チップを備える半導体装置に関し、特にパワーＭＯＳＦＥＴを搭載した半導体装置に関するものである。
【背景技術】
【０００２】
パワーＭＯＳＦＥＴ等の半導体チップを搭載する半導体装置に係る従来技術として特許文献１に記載されたものがある。図８は、特許文献１記載の半導体パッケージに搭載されたパワーＭＯＳＦＥＴの平面図、図９は同じくそのＡ−Ａ線による断面図、図１０は電極間の部分の拡大断面図である。パワーＭＯＳＦＥＴの半導体チップ１０１が、リードフレーム１０２のアイランド部１０３上に搭載されており、この半導体チップ１０１の上面にはトランジスタのソース電極１０４とゲート電極１０５とが形成されており、これらの金属電極はアルミニウム又はアルミニウム合金で形成されている。半導体チップ１０１の下面にドレイン端子（図示せず）が設けられており、このドレイン端子は、アイランド部１０３に接続されている。これらのソース電極１０４とゲート電極１０５とソースリード１０６、ゲートリード１０７とを接続する接続導体として、帯状の銅又は銅合金箔等からなるクリップ状金属板１０８、１０９が使用され、ソース電極１０４及びゲート電極１０５の夫々は導電ペースト１１０を介してこのクリップ状金属板１０８、１０９に接合されている。また、クリップ状金属板１０８の他方の端部も、導電ペースト１１０によって夫々ソースリード１０６及びゲートリード１０７に接続されている。そして、半導体チップ１０１は、アイランド部１０３、ソースリード１０６、ゲートリード１０７及びドレインリード１１１を含めて樹脂１１２により封止される。通常、ソース電極１０４とゲート電極１０５との間は、窒化シリコンやリンガラス等の絶縁性のカバー膜１１３で電気的に分離されている。これらのソース電極１０４とゲート電極１０５の最表面となる金属は、外部端子との接続を良好に取るために、ある程度限られた材料しか選択することができない。特に、通常の金やアルミニウムのボンディング線による接続方法ではなく、導電ペースト材による接続や、ハンダを用いた接合を行う場合には、AgやCu、Pb-Snといった電極材料が選択される。
【０００３】
しかしながら、これらのAgやCu、Pb-Snといった電極材料は、特許文献２に開示されるように、Alに比較して、高温、高湿において電位勾配があると金属イオンは電位の低い方へ移動すると言う所謂、金属イオンマイグレーションを起こし易い材料であるため、電極間に電圧がかかった状態で、高温高湿下で通電試験を行うと、陽極側の高電位側電極がイオン化して移動して陰極側の低電位側電極に析出・成長してリークや短絡不良にいたる不具合を生じ易い。
【０００４】
【特許文献１】特開２００１−２７４２０６号公報（第３頁〜第４頁、図１、図２）
【０００５】
【特許文献２】特開平０９−１４８５２０号公報（第２頁〜第３頁）
【発明の開示】
【発明が解決しようとする課題】
【０００６】
本発明は、上記事情に鑑みなされたものであって、イオンマイグレーションによるリーク等を抑制するものである。
【課題を解決するための手段】
【０００７】
本発明によれば、半導体チップと、前記半導体チップの一表面に設けられた複数の電極と、前記複数の電極のうち隣接する高電位側電極と低電位側電極との間に設けられたイオンマイグレーション防止帯と、を有することを特徴とする半導体装置が提供される。
【０００８】
本発明に係る半導体装置は、高電位側電極と低電位側電極との間にイオンマイグレーション防止帯を設けている。イオンマイグレーション防止帯とは、高電位側電極および低電位側電極の間に生じる電界に沿うイオンの移動を阻害する機能を有する領域をいう。イオンマイグレーション防止帯の具体的構成としては、高電位側電極と低電位側電極との間に設けられた、溝部を有する絶縁体等が挙げられる。
本発明においては、このようなイオンマイグレーション防止帯を設けているため、イオンマイグレーションによるリークや短絡不良が有効に抑制される。
【発明の効果】
【０００９】
本発明によれば、イオンマイグレーション防止帯を設けることにより、イオンマイグレーションによるリークや短絡不良が有効に抑制される。
【発明を実施するための最良の形態】
【００１０】
以下、本発明の実施の形態について、図面を用いて説明する。尚、すべての図面において、同様な構成要素には同様の符号を付し、適宜説明を省略する。
【００１１】
［第１の実施形態］
本実施形態では、イオンマイグレーション防止帯として複数の溝を形成した例について説明する。
【００１２】
図１は、本実施形態に係る半導体装置の平面図である。図２は、図１に示す半導体装置のＡ−Ａ断面図である。図３は図１における半導体チップ１の平面図であり、図４は図３のＢ−Ｂ断面図である。
【００１３】
本実施形態に係る半導体装置は、図１に示す平面構造を有している。パワーＭＯＳＦＥＴの半導体チップ１が、リードフレーム２のアイランド部３上に搭載されており、この半導体チップ１の上面にトランジスタのソース電極４とゲート電極５とが形成されている。これらの金属電極はアルミニウム又はアルミニウム合金で形成されている。これらの電極の表面には、図３および図４に示すように、銀層１４が形成されている。銀層１４は、たとえば蒸着法により形成することができる。
【００１４】
半導体チップ１の下面には、不図示のドレイン端子が設けられている。このドレイン端子はアイランド部３に接続されている。
【００１５】
ソース電極４、ゲート電極５とソースリード６、ゲートリード７とを接続する接続導体として、帯状の銅又は銅合金箔等からなるクリップ状金属板８、９が使用され、ソース電極４及びゲート電極５の夫々は導電ペースト１０を介してこのクリップ状金属板に接合されている。また、クリップ状金属板８の他方の端部も、導電ペースト１０によって夫々ソースリード６及びゲートリード７に接続されている。
【００１６】
半導体チップ１は、アイランド部３、ソースリード６、ゲートリード７及びドレインリード１１を含めて樹脂１２により封止されている。ソース電極４とゲート電極５との間は、窒化シリコンやリンガラス等の絶縁性のカバー膜１３で電気的に分離されている。従来技術の項で述べたように、これらのソース電極４とゲート電極５の最表面の金属材料としては、外部端子との接続を良好に取るため、AgやCu、Pb-Sn合金等が用いられる。
【００１７】
ソース電極４とゲート電極５との間には、溝部１５が設けられている。溝部１５は、窒化シリコンやリンガラス等からなる絶縁性カバー膜１３の一部を、ドライエッチングまたはウエットエッチングにより選択的に除去することにより形成される。溝部１５は、ソース電極４とゲート電極５を分断する方向に平行に設けられた２本の溝により構成されており、ソース電極４とゲート電極５との間に発生する電界の向きと略直行する壁面を有している。各溝は、それぞれソース電極４の周囲を取り囲むように設けられている。溝部１５の内部は、封止樹脂１２によって埋められている。
【００１８】
以下、本実施形態に係る半導体装置の作用効果について説明する。
【００１９】
本実施形態に係る半導体装置では、溝部１５の設けられた部分が、イオンマイグレーション防止帯として機能する。ソース電極４を高電位側電極として陽極電位を、ゲート電極５を低電位側電極として陰極電位を印加した場合に、イオンマイグレーションによる金属イオンは、絶縁性カバー膜１３と封止樹脂１２との界面に沿って絶縁性カバー膜１３の表面上を陽極側のソース電極４から陰極側のゲート電極５に向かって移動するが、これらの溝部１５は、金属イオンの移動距離を実効的に長くする。また、溝部１５の壁面の方向は陰極側から陽極側に向かう電界の方向とほぼ直交する方向であるため、溝部１５の壁面においては、壁面のいずれの方向にも金属イオンを移動させる電界は存在しないか、存在したとしても極めて微弱であるため、金属イオンの移動速度を大幅に低下させることができる。
【００２０】
ソース電極４とゲート電極５の最表面となる金属は、外部端子との接続を良好に取るために銀や銅等により構成される。ところが、たとえば銀は周囲雰囲気中から表面に吸着された水の存在により、電解が起こり、銀イオンAg+となる。このようにしてイオン化した金属イオン（Ａｇ+、Ｃｕ+  等）は、隣接する電極間に生じた電界により、陽極側の電極から陰極側の電極に、絶縁性カバー膜１３と封止樹脂１２との界面を移動し、陰極側の電極やカバー膜上に樹枝状の銀を析出する。本実施形態では、陽極側の高電位側電極と陰極側の低電位側電極との間にイオンマイグレーション防止帯を設けているため、高温高湿の条件下で半導体チップ１の電極間に電圧がかかる通電試験を行っても、イオンマイグレーション不良の発生を防止することが可能となり、これによるリーク不良や短絡不良の発生を低減することができる。
【００２１】
［第２の実施形態］
本実施形態では、イオンマイグレーション防止帯として、オーバーハング形状の壁部を有する溝を設けた例について説明する。
【００２２】
図５は、本実施形態に係るイオンマイグレーション防止帯の断面構造である。
【００２３】
溝部１５は、絶縁性カバー膜１３の一部を選択的に除去することにより形成することができる。溝部１５は、第１の実施の形態と同様、ソース電極４とゲート電極５を分断する方向に、並行する２本の溝として形成され、それぞれソース電極４の周囲を取り囲むように設けられている。溝部１５は、図５に示すように、断面オーバーハング形状に形成される。溝部１５の内部は、封止樹脂１２によって埋められている。
【００２４】
図６は、上記のようなオーバーハング形状の壁部を有する溝の形成方法を説明するための図である。図６におけるシリコン層５０、第１絶縁膜５２および第２絶縁膜５４からなる積層膜が、図５における絶縁性カバー膜１３に対応する。
【００２５】
まず図６（ａ）に示すように、シリコン層５０上に第１絶縁膜５２を形成する。シリコン層５０は下地となる膜である。第１絶縁膜５２は、フッ酸等でエッチング可能なＳｉＯ２やＰＳＧ（Phospho-Silicate Glass）等により形成する。
【００２６】
次いで図６（ｂ）に示すように、第１絶縁膜５２上に第２絶縁膜５４を形成する。第２絶縁膜５４は、フッ酸等でエッチングされないＳｉＮ等により形成する。
【００２７】
つづいて図６（ｃ）に示すように、第２絶縁膜５４上に、開口部５８を有するレジスト５６を形成する。このレジスト５６をマスクとしてドライエッチング等により第２絶縁膜５４を選択的に除去し、底部に第１絶縁膜５２が露出する開口部を形成する（図６（ｄ））。レジスト５６をアッシング等により剥離した後、前工程で開口部を形成した第２絶縁膜５４をマスクとして第１絶縁膜５２をウエットエッチングする。エッチング液は第１絶縁膜５２の材料に応じて適宜選択することができるが、ここではバッファードフッ酸を用いる。このウエットエッチングにより第１絶縁膜５２のサイドエッチングが進行するため、図６（ｅ）に示すように断面盃状の凹部６０が形成される。
【００２８】
以上により、第２絶縁膜５４に形成された開口部と第１絶縁膜５２に形成された凹部６０とをあわせてオーバーハング形状の壁部を有する溝が形成される。
【００２９】
本実施形態に係る半導体装置では、溝部１５の設けられた部分がイオンマイグレーション防止帯として機能する。本実施形態の構成では、オーバーハング部分１６の下面において上面と反対の方向に金属イオンを移動させる方向に電界が存在しないため、金属イオンはオーバーハング部分１６の下面を通過することが原理的に困難となる。したがって、これらのオーバーハング部分１６を設けることによって、金属イオンを陰極側に移動させることを防止する効果を一層増大させることができる。
【００３０】
［第３の実施形態］
本実施形態では、イオンマイグレーション防止帯として、ゲート電極を取り囲む溝を設けた例について説明する。図７は、本実施形態に係る半導体装置の半導体チップ部分の平面図である。本実施形態に係る半導体装置の基本構造は、第１の実施の形態と同様であり、溝部１５の形態のみこれと相違する。
【００３１】
イオンマイグレーション防止帯は、陽極電位の高電位側電極と陰極電位の低電位側電極とが近接する領域の両電極の間に設ければ良い。したがって、第1及び第２の実施形態の様に、防止帯は必ずしもガードリングとして電極を取り囲むように設ける必要はないが、ガードリングを形成すれば全方位に対してより完璧にマイグレーションの発生を防止することが出来る。ガードリングは、第１の実施形態のように陽極側のソース電極４を取り囲むように形成しても良いが、本実施形態のように陰極側のゲート電極５を取り囲むように形成した場合には、ゲート電極５がソース電極４より小面積であるため、ガードリング状の溝部１５の形成領域を第1の実施形態よりも削減することができる。
【００３２】
以上、図面を参照して本発明の実施形態について述べたが、これらは本発明の例示であり、上記以外の様々な構成を採用することもできる。
【００３３】
たとえば、上記実施の形態では、イオンマイグレーション防止帯として溝の設けられた絶縁体の例を挙げたが、これ以外の構成を採用することもできる。イオンマイグレーション防止帯とは、イオンの移動を阻害する機能を有する領域であり、たとえば、溝に代えて凸構造を採用してもよい。たとえば、高電位側電極または低電位側電極のいずれかの周囲を囲むように凸構造（リッジ部）を設けてもよい。
【００３４】
また、イオンマイグレーション防止帯として溝の設けられた絶縁体を用いる場合においても、溝の設け方には様々な態様を採用することができる。たとえば、電極の周囲を取り囲むのではなく、電極間に、互いの電極を遮断するようにストライプ状に設ける構成としてもよい。
【図面の簡単な説明】
【００３５】
【図１】実施の形態に係る半導体装置の平面図である。
【図２】実施の形態に係る半導体装置の断面図である。
【図３】図１における半導体チップの平面図である。
【図４】図３における半導体チップの断面図である。
【図５】イオンマイグレーション防止帯の断面構造の一例を示す図である。
【図６】実施の形態に係る半導体装置の製造工程の一例を示す図である。
【図７】実施の形態に係る半導体装置の半導体チップ部分の平面図である。
【図８】従来の半導体装置の平面図である。
【図９】図８に示す半導体装置のＡ−Ａ断面図である。
【図１０】図８に示す半導体装置の電極間の部分の拡大断面図である。
【符号の説明】
【００３６】
１    半導体チップ
２    リードフレーム
３    アイランド部
４    ソース電極
５    ゲート電極
６    ソースリード
７    ゲートリード
８    クリップ状金属板
９    クリップ状金属板
１０    導電ペースト
１１    ドレインリード
１２    封止樹脂
１３    絶縁性カバー膜
１４    銀層
１５    溝部
１６    オーバーハング部分
５０  シリコン層
５２  第１絶縁膜
５４  第２絶縁膜
５６  レジスト
６０  凹部
１０１    半導体チップ
１０２    リードフレーム
１０３    アイランド部
１０４    ソース電極
１０５    ゲート電極
１０６    ソースリード
１０７    ゲートリード
１０８    クリップ状金属板
１０９    クリップ状金属板
１１０    導電ペースト
１１１    ドレインリード
１１２    樹脂
１１３    絶縁性カバー膜
【図１】
2006100481.tif 000003
【図２】
2006100481.tif 000004
【図３】
2006100481.tif 000005
【図４】
2006100481.tif 000006
【図５】
2006100481.tif 000007
【図６】
2006100481.tif 000008
【図７】
2006100481.tif 000009
【図８】
2006100481.tif 000010
【図９】
2006100481.tif 000011
【図１０】
2006100481.tif 000012